(57)【要約】      （修正有）【課題】複数組のキーでロックを開閉できる便利なマルチキーロックコアを提供する。【解決手段】マルチキーロックコアは、ハウジング１００、駆動シリンダ２００、複数の環状ロックプレート３００’、及びロックバー４００を含む。駆動シリンダは、ハウジング内に設けられ、側壁に貫通部２１４を有し、貫通部が係合凹部１１１に対応するまで回転する。環状ロックプレートは、駆動シリンダ内に設けられ、第１の凹部３２１を有する外縁を含み、第２の凹部３２２をさらに有する。ロックバーは、貫通部に設けられ、係合凹部に部分的に進入して駆動シリンダの回転を制限する。第１のキー８１０は、環状ロックプレートを第１の凹部が貫通部に対応するまで回転させ、ロックバーを、第１の凹部に部分的に進入させて係合凹部から離脱させる。第２のキー８２０は、環状ロックプレートを第２及び第１の凹部が貫通部に対応するまで回転させ、ロックバーを、第２及び第１の凹部に部分的に進入させて係合凹部から離脱させる。【選択図】図２Ａ
0003229056.tif 000002
【実用新案登録請求の範囲】
【請求項１】
第１のキー及び第２のキーと組み合わせて用いられることができるマルチキーロックコアであって、
係合凹部が設けられており、第１の端口及び第２の端口を有する円筒状収容空間を囲むハウジング内壁を有するハウジングと、
前記円筒状収容空間に設けられ、相対する両端に前記第１の端口及び前記第２の端口に対応する駆動シリンダの開口及び駆動シリンダの端部がそれぞれ設けられ、側壁に貫通部が設けられており、前記貫通部が前記係合凹部に対応するまで軸線に対して回転できる駆動シリンダと、
前記駆動シリンダ内に互いに平行に設けられ、前記軸線に沿って回転可能であり、それぞれ駆動凸部が設けられている内縁及び第１の凹部が設けられている外縁を含む複数の環状ロックプレートであって、少なくとも一つの前記環状ロックプレートの前記外縁に第２の凹部がさらに設けられている複数の環状ロックプレートと、
前記貫通部に設けられ、前記係合凹部に部分的に進入することにより前記ハウジングに対する前記駆動シリンダの回転を制限することができるロックバーと、
を含み、
前記第１のキーが前記第１の端口及び前記駆動シリンダの開口を介して前記複数の環状ロックプレートの間に挿入されると、前記第１のキーは、前記駆動凸部により前記複数の環状ロックプレートを前記第１の凹部が前記貫通部に対応するまで回転させるように押圧することができ、前記ロックバーは、前記第１の凹部に部分的に進入するとともに前記係合凹部から離脱するように移動し、前記駆動シリンダを前記ハウジングに対して回転できるようにすることができ、
前記第２のキーが前記第１の端口及び前記駆動シリンダの開口を介して前記複数の環状ロックプレートの間に挿入されると、前記第２のキーは、前記駆動凸部により前記複数の環状ロックプレートを、前記第２の凹部及び前記第２の凹部の設けられていない前記複数の環状ロックプレートの前記第１の凹部が前記貫通部に対応するまで回転させるように押圧することができ、前記ロックバーは、前記第２の凹部及び前記第２の凹部の設けられていない前記環状ロックプレートの前記第１の凹部に部分的に進入するとともに前記係合凹部から離脱するように移動し、前記駆動シリンダを前記ハウジングに対して回転できるようにすることができる、マルチキーロックコア。
【請求項２】
前記第１のキー及び前記第２のキーの外周表面には、前記第１のキー及び前記第２のキーの軸方向に沿って延びる第１の案内溝及び第２の案内溝がそれぞれ設けられており、前記第１の案内溝及び前記第２の案内溝は、それぞれ前記第１のキー及び前記第２のキーの周向に沿って延びる折曲部を有し、
前記第１のキーが前記第１の端口及び前記駆動シリンダの開口を介して前記複数の環状ロックプレートの間に挿入されると、前記駆動凸部は前記第１の案内溝に進入し、前記第１の案内溝の側壁は前記駆動凸部に当接され、前記複数の環状ロックプレートを前記第１の凹部が前記貫通部に対応するまで回転させるように押圧し、
前記第２のキーが前記第１の端口及び前記駆動シリンダの開口を介して前記複数の環状ロックプレートの間に挿入されると、前記駆動凸部は前記第２の案内溝に進入し、前記第２の案内溝の側壁は前記駆動凸部に当接され、前記複数の環状ロックプレートを、前記第２の凹部及び前記第２の凹部の設けられていない前記環状ロックプレートの前記第１の凹部が前記貫通部に対応するまで回転させるように押圧する、請求項１に記載のマルチキーロックコア。
【請求項３】
各環状ロックプレートの前記外縁に復帰斜面がさらに設けられており、
前記駆動シリンダは復帰装置をさらに含み、前記複数の環状ロックプレートが前記駆動シリンダ内に設けられる時、前記復帰装置は前記復帰斜面に当接され、前記複数の環状ロックプレートを所定の位置まで回転させるように駆動する、
請求項１に記載のマルチキーロックコア。
【請求項４】
各環状ロックプレートの前記外縁に位置規制部がさらに設けられており、
前記駆動シリンダは位置規制開口部をさらに含み、前記複数の環状ロックプレートが前記駆動シリンダ内に設けられる時、前記位置規制部は前記位置規制開口部内に位置し、前記位置規制開口部は、前記駆動シリンダに対する前記複数の環状ロックプレートの回転範囲を制限する、
請求項１に記載のマルチキーロックコア。
【請求項５】
前記複数の環状ロックプレートの間に設けられる複数のガスケットをさらに含む、請求項１に記載のマルチキーロックコア。
【請求項６】
第１のキー及び第２のキーと組み合わせて用いられることができるマルチキーロックコアであって、
係合凹部が設けられており、第１の端口及び第２の端口を有する円筒状収容空間を囲むハウジング内壁を有するハウジングと、
前記円筒状収容空間に設けられ、相対する両端に前記第１の端口及び前記第２の端口に対応する駆動シリンダの開口及び駆動シリンダの端部がそれぞれ設けられ、側壁に貫通部が設けられており、前記貫通部が前記係合凹部に対応するまで軸線に対して回転できる駆動シリンダと、
前記駆動シリンダ内に設けられ、前記軸線に沿って回転可能であり、内縁に駆動凸部が設けられ、外縁に第１のＡ凹部が設けられている第１の環状ロックプレートと、
前記駆動シリンダ内に前記第１の環状ロックプレートに平行に設けられ、前記軸線に沿って回転可能であり、内縁に前記駆動凸部が設けられ、外縁に第１のＢ凹部及び第２の凹部が設けられている第２の環状ロックプレートと、
前記貫通部に設けられ、前記係合凹部に部分的に進入することにより前記ハウジングに対する前記駆動シリンダの回転を制限することができるロックバーと、
を含み、
前記第１のキーが前記第１の端口及び前記駆動シリンダの開口を介して前記第１の環状ロックプレート及び前記第２の環状ロックプレートの間に挿入されると、前記第１のキーは、前記駆動凸部により前記第１の環状ロックプレート及び前記第２の環状ロックプレートを、前記第１のＡ凹部及び前記第１のＢ凹部が前記貫通部に対応するまで回転させるように押圧することができ、前記ロックバーは、前記第１のＡ凹部及び前記第１のＢ凹部に部分的に進入するとともに前記係合凹部から離脱するように移動し、前記駆動シリンダを前記ハウジングに対して回転できるようにすることができ、
前記第２のキーが前記第１の端口及び前記駆動シリンダの開口を介して前記第１の環状ロックプレート及び前記第２の環状ロックプレートの間に挿入されると、前記第２のキーは、前記駆動凸部により前記第１の環状ロックプレート及び前記第２の環状ロックプレートを、前記第１のＡ凹部及び前記第２の凹部が前記貫通部に対応するまで回転させるように押圧することができ、前記ロックバーは、前記第１のＡ凹部及び前記第２の凹部に部分的に進入するとともに前記係合凹部から離脱するように移動し、前記駆動シリンダを前記ハウジングに対して回転可能できるようにすることができる、マルチキーロックコア。
【請求項７】
前記第１のキー及び前記第２のキーの外周表面には、前記第１のキー及び前記第２のキーの軸方向に沿って延びる第１の案内溝及び第２の案内溝がそれぞれ設けられており、前記第１の案内溝及び前記第２の案内溝は、それぞれ前記第１のキー及び前記第２のキーの周向に沿って延びる折曲部を有し、
前記第１のキーが前記第１の端口及び前記駆動シリンダの開口を介して前記第１の環状ロックプレート及び前記第２の環状ロックプレートの間に挿入されると、前記駆動凸部は前記第１の案内溝に進入し、前記第１の案内溝の側壁は前記駆動凸部に当接され、前記第１の環状ロックプレート及び前記第２の環状ロックプレートを、前記第１のＡ凹部及び前記第１のＢ凹部が前記貫通部に対応するまで回転させるように押圧し、
前記第２のキーが前記第１の端口及び前記駆動シリンダの開口を介して前記第１の環状ロックプレート及び前記第２の環状ロックプレートの間に挿入されると、前記駆動凸部は前記第２の案内溝に進入し、前記第２の案内溝の側壁は前記駆動凸部に当接され、前記第１の環状ロックプレート及び前記第２の環状ロックプレートを、前記第１のＡ凹部及び前記第２の凹部が前記貫通部に対応するまで回転させるように押圧する、請求項６に記載のマルチキーロックコア。
【請求項８】
前記第１の環状ロックプレート及び前記第２の環状ロックプレートの外縁にそれぞれ復帰斜面がさらに設けられており、
前記駆動シリンダは復帰装置をさらに含み、前記第１の環状ロックプレート及び前記第２の環状ロックプレートが前記駆動シリンダ内に設けられる時、前記復帰装置は前記復帰斜面に当接され、前記第１の環状ロックプレート及び前記第２の環状ロックプレートを所定の位置まで回転させるように駆動する、
請求項６に記載のマルチキーロックコア。
【請求項９】
前記第１の環状ロックプレート及び前記第２の環状ロックプレートの外縁に位置規制部がさらに設けられており、
前記駆動シリンダは位置規制開口部をさらに含み、前記第１の環状ロックプレート及び前記第２の環状ロックプレートが前記駆動シリンダ内に設けられる時、前記位置規制部は前記位置規制開口部内に位置し、前記位置規制開口部は、前記駆動シリンダに対する前記第１の環状ロックプレート及び前記第２の環状ロックプレートの回転範囲を制限する、
請求項６に記載のマルチキーロックコア。
【請求項１０】
前記第１の環状ロックプレート及び前記第２の環状ロックプレートの間に設けられるガスケットをさらに含む、請求項６に記載のマルチキーロックコア。
【考案の詳細な説明】
【技術分野】
【０００１】
本考案はマルチキーロックコアに関する。さらには、本考案は複数のキーによりロックを開閉できるロックコアに関する。
【背景技術】
【０００２】
長期にわたり、ロックは保全を必要とする多種の装置と物品に広く用いられている。例えば食器棚、スーツケース、トラベルバッグ及び電子装置等の物品について、南京錠により他人が開けて物品を持ち去ることを回避する。旅客は、通常、スーツケースにロックを掛けることにより航空、海上又は陸上の旅の途中で盗難に遭遇することを回避する。
【０００３】
安全を確保するために、輸送過程における保安検査は益々厳しくなっている。旅行中に用いられるスーツケースは輸送時、特に航空輸送時に、よく多くの保安検査を行う必要がある。荷物を検査するために、保安検査スタッフは荷物におけるロックを開けなければならない。しかしながら、それぞれのロックのロックコアは異なるキーで開けなければならないので、荷物検査時にロックを開けるのに時間を要する。
【考案の概要】
【０００４】
本考案の目的は、従来技術における上記問題を解決するために、マルチキーロックコアを提供することにある。
【０００５】
本考案に係るマルチキーロックコアは、第１のキー及び第２のキーと組み合わせて用いられることができる。マルチキーロックコアは、ハウジング、駆動シリンダ、複数の環状ロックプレート、及びロックバーを含む。ハウジングは、係合凹部が設けられており、第１の端口及び第２の端口を有する円筒状収容空間を囲むハウジング内壁を有する。駆動シリンダは、円筒状収容空間に設けられ、相対する両端に第１の端口及び第２の端口に対応する駆動シリンダの開口及び駆動シリンダの端部がそれぞれ設けられ、側壁に貫通部が設けられており、貫通部が係合凹部に対応するまで軸線に対して回転できる。複数の環状ロックプレートは、互いに平行に駆動シリンダ内に設けられ、軸線に沿って回転可能であり、各環状ロックプレートは駆動凸部が設けられている内縁及び第１の凹部が設けられている外縁を含み、少なくとも一つの環状ロックプレートの外縁に第２の凹部がさらに設けられている。ロックバーは、貫通部に設けられ、係合凹部に部分的に進入することによりハウジングに対する駆動シリンダの回転を制限することができる。第１のキーが第１の端口及び駆動シリンダの開口を介して環状ロックプレートの間に挿入されると、第１のキーは、駆動凸部により環状ロックプレートを第１の凹部が貫通部に対応するまで回転させるように押圧することができ、ロックバーは、第１の凹部に部分的に進入するとともに係合凹部から離脱するように移動し、駆動シリンダをハウジングに対して回転できるようにすることができる。第２のキーが第１の端口及び駆動シリンダの開口を介して環状ロックプレートの間に挿入されると、第２のキーは、駆動凸部により環状ロックプレートを、第２の凹部及び第２の凹部の設けられていない環状ロックプレートの第１の凹部が貫通部に対応するまで回転させるように押圧することができ、ロックバーは、第２の凹部及び第２の凹部の設けられていない環状ロックプレートの第１の凹部に部分的に進入するとともに係合凹部から離脱するように移動し、駆動シリンダをハウジングに対して回転できるようにすることができる。
【０００６】
本考案の実施例において、第１のキー及び第２のキーの外周表面には、第１のキー及び第２のキーの軸方向に沿って延びる第１の案内溝及び第２の案内溝がそれぞれ設けられており、第１の案内溝及び第２の案内溝は、それぞれ第１のキー及び第２のキーの周向に沿って延びる折曲部を有する。第１のキーが第１の端口及び駆動シリンダの開口を介して環状ロックプレートの間に挿入されると、駆動凸部は第１の案内溝に進入し、第１の案内溝の側壁は駆動凸部に当接され、環状ロックプレートを第１の凹部が貫通部に対応するまで回転させるように押圧する。第２のキーが第１の端口及び駆動シリンダの開口を介して環状ロックプレートの間に挿入されると、駆動凸部は第２の案内溝に進入し、第２の案内溝の側壁は駆動凸部に当接され、環状ロックプレートを、第２の凹部及び第２の凹部の設けられていない環状ロックプレートの第１の凹部が貫通部に対応するまで回転させるように押圧する。
【０００７】
本考案の実施例において、各環状ロックプレートの外縁に復帰斜面がさらに設けられている。駆動シリンダは復帰装置をさらに含み、環状ロックプレートが駆動シリンダ内に設けられる時、復帰装置は復帰斜面に当接され、環状ロックプレートは所定の位置まで回転する。
【０００８】
本考案の実施例において、各環状ロックプレートの外縁に位置規制部がさらに設けられている。駆動シリンダは位置規制開口部をさらに含み、環状ロックプレートが駆動シリンダ内に設けられる時、位置規制部は位置規制開口部内に位置し、位置規制開口部は、駆動シリンダに対する環状ロックプレートの回転範囲を制限する。
【０００９】
本考案の実施例において、マルチキーロックコアは、環状ロックプレートの間に設けられる複数のガスケットをさらに含む。
【００１０】
本考案の実施例において、マルチキーロックコアは、ハウジング、駆動シリンダ、第１の環状ロックプレート、第２の環状ロックプレート、及びロックバーを含む。ハウジングには、係合凹部が設けられており、第１の端口及び第２の端口を有する円筒状収容空間を囲むハウジング内壁を有する。駆動シリンダは、円筒状収容空間に設けられ、相対する両端に第１の端口及び第２の端口に対応する駆動シリンダの開口及び駆動シリンダの端部がそれぞれ設けられ、側壁に貫通部が設けられており、貫通部が係合凹部に対応するまで軸線に対して回転できる。第１の環状ロックプレートは、駆動シリンダ内に設けられ、軸線に沿って回転可能であり、内縁に駆動凸部が設けられ、外縁に第１のＡ凹部が設けられている。第２の環状ロックプレートは、駆動シリンダ内に第１の環状ロックプレートに平行に設けられ、軸線に沿って回転可能であり、内縁に駆動凸部が設けられ、外縁に第１のＢ凹部及び第２の凹部が設けられている。ロックバーは、貫通部に設けられ、係合凹部に部分的に進入することによりハウジングに対する駆動シリンダの回転を制限することができる。第１のキーが第１の端口及び駆動シリンダの開口を介して第１の環状ロックプレート及び第２の環状ロックプレートの間に挿入されると、第１のキーは、駆動凸部により第１の環状ロックプレート及び第２の環状ロックプレートを、第１のＡ凹部及び第１のＢ凹部が貫通部に対応するまで回転させるように押圧することができ、ロックバーは、第１のＡ凹部及び第１のＢ凹部に部分的に進入するとともに係合凹部から離脱するように移動し、駆動シリンダをハウジングに対して回転できるようにすることができる。第２のキーが第１の端口及び駆動シリンダの開口を介して第１の環状ロックプレート及び第２の環状ロックプレートの間に挿入されると、第２のキーは、駆動凸部により第１の環状ロックプレート及び第２の環状ロックプレートを、第１のＡ凹部及び第２の凹部が貫通部に対応するまで回転させるように押圧することができ、ロックバーは、第１のＡ凹部及び第２の凹部に部分的に進入するとともに係合凹部から離脱するように移動し、駆動シリンダをハウジングに対して回転できるようにすることができる。
【００１１】
本考案の実施例において、第１のキー及び第２のキーの外周表面には、第１のキー及び第２のキーの軸方向に沿って延びる第１の案内溝及び第２の案内溝がそれぞれ設けられており、第１の案内溝及び第２の案内溝は、それぞれ第１のキー及び第２のキーの周向に沿って延びる折曲部を有する。第１のキーが第１の端口及び駆動シリンダの開口を介して第１の環状ロックプレート及び第２の環状ロックプレートの間に挿入されると、駆動凸部は第１の案内溝に進入し、第１の案内溝の側壁は駆動凸部に当接され、第１の環状ロックプレート及び第２の環状ロックプレートを、第１のＡ凹部及び第１のＢ凹部が貫通部に対応するまで回転させるように押圧する。第２のキーが第１の端口及び駆動シリンダの開口を介して第１の環状ロックプレート及び第２の環状ロックプレートの間に挿入されると、駆動凸部は第２の案内溝に進入し、第２の案内溝の側壁は駆動凸部に当接され、第１の環状ロックプレート及び第２の環状ロックプレートを、第１のＡ凹部及び第２の凹部が貫通部に対応するまで回転させるように押圧する。
【００１２】
本考案の実施例において、第１の環状ロックプレート及び第２の環状ロックプレートの外縁にそれぞれ復帰斜面がさらに設けられている。駆動シリンダは復帰装置をさらに含み、第１の環状ロックプレート及び第２の環状ロックプレートが駆動シリンダ内に設けられる時、復帰装置は復帰斜面に当接され、第１の環状ロックプレート及び第２の環状ロックプレートを所定の位置まで回転させるように駆動する。
【００１３】
本考案の実施例において、第１の環状ロックプレート及び第２の環状ロックプレートの外縁に位置規制部がさらに設けられている。駆動シリンダは位置規制開口部をさらに含み、第１の環状ロックプレート及び第２の環状ロックプレートが駆動シリンダ内に設けられる時、位置規制部は位置規制開口部内に位置し、位置規制開口部は、駆動シリンダに対する第１の環状ロックプレート及び第２の環状ロックプレートの回転範囲を制限する。
【００１４】
本考案の実施例において、マルチキーロックコアは、第１の環状ロックプレート及び第２の環状ロックプレートの間に設けられるガスケットをさらに含む。
【図面の簡単な説明】
【００１５】
【図１】図１は本考案に係るマルチキーロックコアの実施例の模式図である。
【図２Ａ】図２Ａは本考案に係るマルチキーロックコアの実施例の分解模式図である。
【図２Ｂ】図２Ｂは本考案に係るマルチキーロックコアの実施例の分解模式図である。
【図３】図３は本考案に係るマルチキーロックコアの実施例の断面模式図である。
【図４Ａ】図４Ａは本考案に係るマルチキーロックコアにおける環状ロックプレートとロックバーとの相対的位置の模式図である。
【図４Ｂ】図４Ｂは本考案に係るマルチキーロックコアにおいて貫通部が第１の凹部に対応する実施例の模式図である。
【図４Ｃ】図４Ｃは本考案に係るマルチキーロックコアにおいて貫通部が第１の凹部に対応する実施例の模式図である。
【図４Ｄ】図４Ｄは本考案に係るマルチキーロックコアにおいて貫通部が第１の凹部に対応する実施例の模式図である。
【図５】図５は本考案に係るマルチキーロックコアにおいて貫通部が第２の凹部に対応する実施例の模式図である。
【図６】図６は本考案に係るマルチキーロックコアにおいて係合凹部がロックバーに対応していない実施例の模式図である。
【図７】図７Ａ乃至７Ｃは本考案に係るマルチキーロックコアの別の実施例の模式図である。
【考案を実施するための形態】
【００１６】
図１及び２Ａに示される実施例のように、本考案のマルチキーロックコア９００は、第１のキー８１０及び第２のキー８２０と組み合わせて用いることができる。さらには、第１のキー８１０は、例えばマルチキーロックコア９００が装着されているスーツケースのロックの利用者の持つ個人の鍵であってもよく、第２のキー８２０は、例えば税関等の法執行機関の持つ検査鍵であってもよい。
【００１７】
図２Ａ及び２Ｂに示される実施例のように、マルチキーロックコア９００は、ハウジング１００、駆動シリンダ２００、複数の環状ロックプレート３００、及びロックバー４００を含む。ハウジング１００は、係合凹部１１１が設けられており、第１の端口１０１及び第２の端口１０２を有する円筒状収容空間１０４を囲むハウジング内壁１１０を有する。より具体的には、この実施例において、ハウジング１００は、上下に第１の端口１０１及び第２の端口１０２をそれぞれ有する円筒状物品であり、内部に円筒状収容空間１０４を有する。しかしながら、別の実施例において、ハウジング１００は円筒状に限定されていない。例えば、角形状のハウジングの内部に板部材で円筒を囲んでもよく、円筒の内部は円筒状収容空間１０４であり、円筒の上下に第１の端口１０１及び第２の端口１０２をそれぞれ有する。
【００１８】
図１乃至２Ｂに示される実施例のように、駆動シリンダ２００は円筒状収容空間１０４に設けられる。換言すれば、駆動シリンダ２００はハウジング１００内に嵌設され、ハウジング内壁１１０に取り囲まれている。図２Ａ及び２Ｂに示される実施例のように、駆動シリンダ２００は、相対する両端に第１の端口１０１及び第２の端口１０２に対応する駆動シリンダの開口２０１及び駆動シリンダの端部２０２がそれぞれ設けられている。より具体的には、ここでいう対応とは、駆動シリンダ２００が円筒状収容空間１０４に設けられると、第１の端口１０１が駆動シリンダの開口２０１に近接し互いに連通し、第２の端口１０２が駆動シリンダの端部２０２に近接してそれから突出していることを意味する。駆動シリンダ２００の側壁２１０に貫通部２１４が設けられており、駆動シリンダ２００は、軸線９０１に対して貫通部２１４が係合凹部１１１に対応するまで回転することができる。一実施例において、駆動シリンダの端部２０２はさらに例えばトング、フック等のロック部材に接続され、駆動シリンダ２００が回動すると、ロック部材を回転するように連動させ、物品に対するロックを解除することができる。ロックコアとロック部材との接続及び作動は周知のことであるので、別途、図示及び説明は行わない。
【００１９】
図２Ａ及び２Ｂに示される実施例のように、環状ロックプレート３００’、３００’’、３００’’’は、互いに平行に駆動シリンダ２００内に設けられ、軸線９０１に沿って回転可能であり、環状ロックプレート３００’、３００’’、３００’’’は、駆動凸部３１０が設けられている内縁３０１及び第１の凹部３２１が設けられている外縁３０２を含む。環状ロックプレート３００’、３００’’、３００’’’のうち少なくとも一つの外縁３０２に第２の凹部３２２がさらに設けられている。さらには、この実施例において、環状ロックプレート３００’、３００’’、３００’’’のいずれの外縁３０２においても第２の凹部３２２が設けられているが、別の実施例において、環状ロックプレートは３つに限定されず、２つより多ければよく、その内の１つの外縁に第２の凹部が設けられていればよい。ここで、マルチキーロックコア９００は、環状ロックプレート３００’、３００’’、３００’’’の間に設けられる複数のガスケット５００をさらに含み、回転時における環状ロックプレート３００’、３００’’、３００’’’同士の直接接触による摩擦等の阻害の発生を減少させることができる。
【００２０】
図３に示される実施例のように、ロックバー４００は、貫通部２１４に設けられ、係合凹部１１１に部分的に進入することによりハウジング１００に対する駆動シリンダ２００の回転を制限することができる。別の角度から見ると、駆動シリンダ２００のハウジング１００に対するもう一方にロックバー４００が少なくとも係合凹部１１１に部分的に進入して移入しそこから離脱する空間がない場合に、ロックバー４００はそれぞれ貫通部２１４及び係合凹部１１１内に位置する部分があるので、ハウジング１００に対する駆動シリンダ２００の回転は制限される。一実施例において、ロックバー４００は円柱体であり、係合凹部１１１は円柱体の表面に対応する弧形内壁を有する。
【００２１】
図２Ａに示される実施例のように、第１のキー８１０が第１の端口１０１及び駆動シリンダの開口２０１を介して環状ロックプレート３００’、３００’’、３００’’’の間に挿入されると、第１のキー８１０は、駆動凸部３１０により環状ロックプレート３００’、３００’’、３００’’’を図４Ａに示すように第１の凹部３２１がロックバー４００に対応する位置まで回転させることができる。この時、図４Ｂに示すように、第１の凹部３２１は貫通部２１４に対応する。より具体的には、第１のキー８１０の外周表面８１１には、第１のキー８１０の軸方向に沿って延びる第１の案内溝８１２が設けられており、第１の案内溝８１２は、第１のキー８１０の周向８０１に沿って延びる折曲部８１３を有する。第１のキー８１０が第１の端口１０１及び駆動シリンダの開口２０１を介して環状ロックプレート３００’、３００’’、３００’’’の間に挿入されると、駆動凸部３１０は第１の案内溝８１２に進入し、第１の案内溝８１２の側壁は駆動凸部３１０に当接され、環状ロックプレート３００’、３００’’、３００’’’を第１の凹部３２１が貫通部２１４に対応するまで回転させるように押圧する。これによって、図４Ｃに示すように、ロックバー４００は、第１の凹部３２１に部分的に進入するとともに係合凹部１１１から離脱するように移動し、駆動シリンダ２００を図４Ｄに示すようにハウジング１００に対して回転できるようにして、前記ロック部材のロックを解除するように連動させることができる。
【００２２】
他方で、図２Ａに示される実施例のように、第２のキー８２０が第１の端口１０１及び駆動シリンダの開口２０１を介して環状ロックプレート３００’、３００’’、３００’’’の間に挿入されると、第２のキー８２０は、駆動凸部３１０により環状ロックプレート３００’、３００’’、３００’’’を図５に示すように第２の凹部３２２が貫通部２１４に対応するまで回転させるように押圧することができ、ロックバー４００は、第２の凹部３２２に部分的に進入するとともに係合凹部１１１から離脱するように移動し、駆動シリンダ２００をハウジング１００に対して回転できるようにすることができる。より具体的には、第２のキー８２０の外周表面８２１には、第２のキー８２０の軸方向に沿って延びる第２の案内溝８２２が設けられており、第２の案内溝８２２は、第２のキー８２０の周向８０２に沿って延びる折曲部８２３を有する。第２のキー８２０が第１の端口１０１及び駆動シリンダの開口２０１を介して環状ロックプレート３００’、３００’’、３００’’’の間に挿入されると、駆動凸部３１０は第２の案内溝８２２に進入し、第２の案内溝８２２の側壁は駆動凸部３１０に当接され、環状ロックプレート３００’、３００’’、３００’’’を第２の凹部３２２が貫通部２１４に対応するまで回転させるように押圧する。
【００２３】
上記実施例において、環状ロックプレート３００’、３００’’、３００’’’のいずれにおいても第２の凹部３２２が設けられているが、別の実施例においては、その内１つの外縁に第２の凹部３２２が設けられていればよい。この場合に、第２のキー８２０が環状ロックプレートの間に挿入されると、第２のキー８２０は、駆動凸部３１０により環状ロックプレートを、第２の凹部３２２及び第２の凹部３２２の設けられていない環状ロックプレートの第１の凹部３２１が貫通部２１４に対応するまで回転させるように押圧することができ、ロックバー４００は、第２の凹部３２２及び第２の凹部３２２の設けられていない環状ロックプレートの第１の凹部３２１に部分的に進入するように移動することができる。
【００２４】
さらに言うと、適正な案内溝を有するキーこそが、適正なキーであり、駆動凸部により環状ロックプレートを、第１の凹部又は第２の凹部が貫通部にあるロックバーに対応するまで回転させるように押圧し、ロックバーを係合凹部から離脱させるように移動可能にし、駆動シリンダをハウジングに対して回転できる、即ち開錠状態にすることができる。図６に示される実施例のように、挿入されるキーが適正ではないと、少なくとも一つの環状ロックプレートの凹部はロックバーに対応せず、その場合に、ロックバーは、係合凹部から離脱するように移動することができず、ハウジングに対する駆動シリンダの回転は制限され、これが施錠状態である。また、本考案のロックコアは、複数組の凹部（例えば第１の凹部、第２の凹部）の設置により、複数組のキーで駆動シリンダを操作して回転させロックを開閉するという機能を達成し、本考案に係るロックコアが設けられているロック具により、税関等の法執行機関による検査を、より便利で、効率のより高いものにすることができる。
【００２５】
図７Ａ乃至７Ｃに示される実施例のように、環状ロックプレート３００’、３００’’、３００’’’の外縁３０２に復帰斜面３２４がさらに設けられている。ここで、環状ロックプレート３００’、３００’’、３００’’’が軸線を中心として互いに平行に設けられるので、図７Ａ乃至７Ｃには環状ロックプレート３００’のみが図示されており、また、図面を簡潔にするために、ロックバー及びハウジング等の素子は図示されていない。駆動シリンダ２００は復帰装置１２４をさらに含み、環状ロックプレート３００’、３００’’、３００’’’が駆動シリンダ２００内に設けられる時、復帰装置１２４は復帰斜面３２４に当接される。この時、復帰装置１２４は、環状ロックプレート３００’、３００’’、３００’’’を図７Ｃに示される所定の位置まで回転させる。より具体的には、復帰斜面３２４は凹角３２５を含み、復帰装置１２４はその端部１２５で復帰斜面３２４に当接される弾性アームを含む。環状ロックプレート３００’、３００’’、３００’’’が図７Ａ、７Ｂに示される位置まで回転すると、復帰装置１２４の端部１２５は復帰斜面３２４の凹角３２５以外の位置に当接され、復帰斜面３２４に付勢し、環状ロックプレート３００’、３００’’、３００’’’を復帰装置１２４の端部が凹角３２５に当接される位置、即ち図７Ｃに示される所定の位置まで回転させる。所定の位置を環状ロックプレート３００’、３００’’、３００’’’のゼロの位置として定義すると、上記復帰斜面３２４及び復帰装置１２４の設置より、キーを挿入して環状ロックプレート３００’、３００’’、３００’’’を付勢していない状態で、環状ロックプレート３００’、３００’’、３００’’’を自動ゼロ合わせさせるという効果を達成し、使用の利便性を向上させることができる。
【００２６】
図７Ａ乃至７Ｃに示される実施例のように、環状ロックプレート３００’、３００’’、３００’’’の外縁３０２に位置規制部３２６がさらに設けられている。駆動シリンダ２００は位置規制開口部２６０をさらに含み、環状ロックプレート３００’、３００’’、３００’’’が駆動シリンダ２００内に設けられる時、位置規制部３２６は位置規制開口部２６０内に位置し、位置規制開口部２６０は、駆動シリンダ２００に対する環状ロックプレート３００’、３００’’、３００’’’の回転範囲を制限する。これによって、駆動凸部３１０の回転範囲を制限し、キーが挿入される時、駆動凸部３１０は案内溝により簡単に進入し、使用の利便性を向上させることができる。
【００２７】
上述した説明及び図面は本考案の好ましい実施例を既に開示したが、様々な追加、多くの変更及び置換は、添付の実用新案登録請求の範囲に規定された本考案の原理の精神及び範囲から逸脱せずに、本考案の好ましい実施例に用いられる可能性がある点を理解しなければならない。当業者であれば、本考案を多くの形式、構造、配置、割合、材料、素子及びアセンブリの変更に用いることができると理解できる。したがって、本明細書に開示された実施例は、本考案を制限するためのものではなく、本考案を説明するためのものとみなすべきである。本考案の範囲は、後の添付の実用新案登録請求の範囲によって定められるとともに、その合法的な均等物を含むものあり、上記の説明に限定されるものではない。
【符号の説明】
【００２８】
１００：ハウジング
１０１：第１の端口
１０２：第２の端口
１０４：円筒状収容空間
１１０：ハウジング内壁
１１１：係合凹部
２００：駆動シリンダ
２０１：駆動シリンダの開口
２０２：駆動シリンダの端部
２１４：貫通部
２６０：位置規制開口部
３００’：環状ロックプレート
３００’’：環状ロックプレート
３００’’’：環状ロックプレート
３０１：内縁
３０２：外縁
３１０：駆動凸部
３２１：第１の凹部
３２２：第２の凹部
３２４：復帰斜面
３２５：凹角
３２６：位置規制部
４００：ロックバー
５００：ガスケット
８０１：周向
８０２：周向
８１０：第１のキー
８１１：外周表面
８１２：第１の案内溝
８１３：折曲部
８２０：第２のキー
８２１：外周表面
８２２：第２の案内溝
８２３：折曲部
９００：マルチキーロックコア
９０１：軸線
【図１】
0003229056.tif 000003
【図２Ａ】
0003229056.tif 000004
【図２Ｂ】
0003229056.tif 000005
【図３】
0003229056.tif 000006
【図４Ａ】
0003229056.tif 000007
【図４Ｂ】
0003229056.tif 000008
【図４Ｃ】
0003229056.tif 000009
【図４Ｄ】
0003229056.tif 000010
【図５】
0003229056.tif 000011
【図６】
0003229056.tif 000012
【図７】
0003229056.tif 000013